(57)【特許請求の範囲】
【請求項１】
流体を塗布するための装置であって、
開放した本体近位端、本体中央部分、及び開放した本体遠位端を有する中空の本体であって、該本体中央部分の内側が、開口具要素をその中に有する、中空の本体と、
塗布器構成要素と、
閉鎖した流体収容部近位端、及び流体収容部の操作可能ドアを有する流体収容部遠位端を有する、流体を収容する流体収容部であって、前記流体収容部の操作可能ドアが、下部剥離要素及び上部剥離要素をその中に有し、前記上部剥離要素が、前記下部剥離要素よりも厚い、流体収容部と、を備え、
該本体遠位端が、該塗布器構成要素に係合され、
該流体収容部が、前記本体の前記内側の中に位置付けられ、それにより、前記流体収容部の操作可能ドアが、前記開口具要素の近傍に位置付けられ、それにより、前記流体収容部の遠位移動が、前記流体収容部の操作可能ドアの中への前記開口具要素の挿入をもたらし、それによって、前記本体の内側へと、そして前記塗布器構成要素へと、前記流体収容部の内容物である前記流体を放出し、
前記流体収容部の操作可能ドアの中への前記開口具要素の該挿入が、前記下部剥離要素の脱離、及び前記上部剥離要素の屈曲を伴い、それにより、前記操作可能ドアが前記開口具要素を係合し、かつ開放したままとなり、
該流体収容部が、前記本体の前記内側の中に位置付けられ、それにより、前記流体収容部近位端が、前記本体近位端に対して面一または凹状となり、
前記流体収容部近位端は、流体収容部近位端縁を有し、
前記本体近位端は、本体近位端凹部を有し、
前記流体収容部は、
前記流体収容部近位端縁が前記本体近位端凹部の中に位置付けられ、前記本体近位端凹部の中の前記流体収容部近位端縁の位置付けが、前記本体の中に位置付けられた前記流体収容部の意図的でない作動を防止するように、
前記本体の内側の中に位置付けられている、前記装置。
【請求項２】
前記下部剥離要素及び上部剥離要素が、前記流体収容部の操作可能ドアの中へ前記開口具要素が挿入されるにつれて、揺動ヒンジとして動作する、請求項１に記載の前記装置。
【請求項３】
前記流体が、薬品流体または滅菌流体である、請求項１に記載の前記装置。
【請求項４】
前記塗布器構成要素が、吸収性スポンジまたはパッドである、請求項１に記載の前記装置。
【請求項５】
前記塗布器構成要素が、円形、長円形、正方形、三角形、及び涙滴形からなる群から選択される形状を有する、請求項１に記載の前記装置。
【請求項６】
流体を塗布するための装置であって、
開放した本体近位端、本体中央部分、及び開放した本体遠位端を有する中空の本体であって、該本体中央部分の内側が、開口具要素をその中に有する、中空の本体と、
塗布器構成要素と、
流体収容部近位端、及び閉鎖した流体収容部遠位端を有する、流体を収容する流体収容部であって、前記流体収容部近位端の上にキャップまたは封止材が配置されており、前記流体収容部遠位端が、下部剥離要素及び上部剥離要素をその中に有し、前記上部剥離要素が、前記下部剥離要素よりも厚い、流体収容部と、を備え、
該本体遠位端が、該塗布器構成要素に係合され、
該流体収容部が、前記本体の前記内側の中に位置付けられ、それにより、前記下部剥離要素および前記上部剥離要素が、前記開口具要素の近傍に位置付けられ、それにより、前記流体収容部の遠位移動が、前記下部剥離要素および前記上部剥離要素の中への前記開口具要素の挿入をもたらし、それによって、前記本体の内側へと、そして前記塗布器構成要素へと、前記流体収容部の内容物である前記流体を放出し、
前記下部剥離要素および前記上部剥離要素の中への前記開口具要素の該挿入が、前記下部剥離要素の脱離、及び前記上部剥離要素の屈曲を伴い、それにより、前記流体収容部遠位端が前記開口具要素を係合し、かつ開放したままとなり、
該流体収容部が、前記本体の前記内側の中に位置付けられ、それにより、前記流体収容部近位端が、前記本体近位端に対して面一または凹状となる、前記装置。
【発明の詳細な説明】
【発明の詳細な説明】
【０００１】
［技術分野］
本発明は、流体塗布器装置及び本装置を使用する方法に関する。特に、本発明は、溶液（例えば、任意の種類の流体溶液）（例えば、液体薬品及び／または滅菌溶液）を保管し、対象の表面に分注するための装置に関する。
［背景技術］
多くの医療手技は、準備、治療などのために、皮膚などの身体の部分への、医薬品、滅菌流体、消毒剤、ゲル、薬剤、または他の材料の塗布を伴う。そのような医薬品、滅菌流体、薬剤は、典型的には、塗布器によって皮膚に移される。従来の液体塗布器は、液体を保管するためのガラスアンプルまたはプラスチック吹込成形ボトル、及びアンプルを破砕して保管される液体を放出するための機構を組み込む。放出される液体は、皮膚への塗布のためのスワブ、発泡パッド、または先端部と接触する。
【０００２】
しかしながら、多数の問題がこの型の塗布器に見られる。例えば、ほとんどの従来の液体塗布器の設計が、意図的でない作動（例えば、流体の放出）を起こしやすい。したがって、意図的でない作動の危険性を減少させる体表塗布器を用いて、先行技術の不利点及び欠点を克服することが望ましい。
［発明の概要］
本発明は、流体塗布器装置及び本装置を使用する方法に関する。特に、本発明は、溶液（例えば、任意の種類の流体溶液）（例えば、液体薬品及び／または滅菌溶液）を保管し、対象の表面に分注するための装置に関する。
【０００３】
本発明の実施形態は、対象の表面に溶液を塗布するための装置、及びそのような装置を使用する方法を提供する。本装置は、偶発的な望まれない溶液の分注を防止することによって、既存のデバイスの問題を克服する。
【０００４】
例えば、ある特定の実施形態では、本発明は、医療用塗布器装置を提供する。本発明は、特定の型の医療用塗布器装置に限定されない。いくつかの実施形態では、本装置は（図１、２、３、及び５に示されるように）、本体、及び塗布器構成要素を有する。
【０００５】
そのような装置は、特定の型の本体に限定されない。いくつかの実施形態では、本体は、本装置の主部として機能し、流体収容部のための収容部として機能し、流体が通過し得るチャネルとして機能し、流れる流体と塗布器との間の導管として機能する。いくつかの実施形態では、本体は、本体近位端（本体近位端縁を有する）、本体中央部分、及び本体遠位端を有する。
【０００６】
本体は、特定のサイズの寸法に限定されない。いくつかの実施形態では、本体のサイズは、流体収容部（例えば、流体容器）（以下により詳細に説明される）を収容することができるようなものである。本体は、特定の形状または設計に限定されない。いくつかの実施形態では、本体の形状は、使用者（例えば、ヒト使用者）によって快適に取り扱われ、かつ／または握られ得るようなものである。
【０００７】
そのような装置は、特定の型の塗布器構成要素に限定されない。いくつかの実施形態では、塗布器構成要素は、流体を（本体から）受け、所望の様式で（例えば、対象の上に）流体を射出する、装置の部分として機能する。いくつかの実施形態では、本装置は、本体遠位端において本体を係合する。
【０００８】
塗布器は、溶液（例えば、薬品または滅菌溶液）を吸収し、動物の皮膚に塗布するのに好適な任意の材料であり得る。例としては、スポンジ、吸収性パッドなどが挙げられるが、これらに限定されない。
【０００９】
いくつかの実施形態では、本体は、本体中央部分において本体の内側の中に位置付けられる開口具要素を有する。いくつかの実施形態では、開口具要素は、流体収容部（以下により詳細に説明される）の中の操作可能ドアを作動（例えば、開放）（例えば、その中へ挿入）するように構成される突起である。いくつかの実施形態では、開口具要素は、形状が三角形であり、本体中央部分において本体の内側の中に強固に位置付けられる。いくつかの実施形態では、開口具要素は、操作可能ドア（例えば、流体収容部の操作可能ドア）の作動（例えば、開放）を容易にするために鋭角である尖った前端と、そのような操作可能ドアの開放位置における保持を容易にするような形状である上端（以下により詳細に説明される）と、後端と、を有する。いくつかの実施形態では、上端は、尖った前端と比較してより鋭角であり、それによって、開放された流体収容部の操作可能ドアをそのような上端の上に位置付けることを容易にする（開放された操作可能ドアを開放位置に保持するため）。いくつかの実施形態では、開口具要素の幅は、本体の内側の中に中空の通路を保持するのに十分に狭い。いくつかの実施形態では、開口具要素の幅は、塗布器まで本体の内側を通る流体の通過を容易にする（例えば、妨げない）のに十分に狭い。
【００１０】
そのような装置は、本体の中に流体収容部を収容するように構成される（図３、４、及び５に示されるように）。本発明は、特定の型または種類の流体収容部に限定されない。いくつかの実施形態では、流体収容部は、本体近位端から開口具要素のすぐ前の本体中央部分の近傍まで、本体の内側の中に位置付けられる。いくつかの実施形態では、流体収容部は、閉鎖した流体収容部近位端、及び閉鎖した流体収容部遠位端を有する（例えば、それによって、流体収容部が流体を確実に保管することを可能にする）。いくつかの実施形態では、流体収容部は、流体収容部近位端が本体近位端縁を超えて（その上部の外側に）伸びないように、本体の中に位置付けられる（それによって、本装置の意図的でない作動を防止する）。
【００１１】
いくつかの実施形態では、流体収容部遠位端は、流体収容部遠位端の操作可能ドアで閉鎖される。本発明は、特定の型または種類の流体収容部遠位端の操作可能ドアに限定されない。いくつかの実施形態では、操作可能ドアは、それが開放されるように構成されるように、ヒンジに基づく。いくつかの実施形態では、操作可能ドアは、それが開放されるように構成されるように、剥離ヒンジに基づく。いくつかの実施形態では、操作可能ドアは、操作可能ドア上剥離部及び操作可能ドア下剥離部を有する。いくつかの実施形態では、操作可能ドア上剥離部及び操作可能ドア下剥離部は、異なる度合の厚さを有する。いくつかの実施形態では、操作可能ドア下剥離部の厚さは、開口具要素の尖った前端に係合すると、操作可能ドア下剥離部が脱離する（例えば、「破れる」）ようなものである。いくつかの実施形態では、操作可能ドア上剥離部の厚さは、操作可能ドア下剥離部が脱離するにつれて脱離することなく屈折（例えば、屈曲）するのに十分に厚い。したがって、いくつかの実施形態では、操作可能ドアは、開口具要素の尖った前端との係合に応答した、操作可能ドア下剥離部の脱離及び操作可能ドア上剥離部の屈曲を介して、開放するように構成される。
【００１２】
したがって、いくつかの実施形態では、流体収容部近位端の（例えば、使用者による）押下は、本体の内側を通って流体収容部を遠位に前進させ、流体収容部の操作可能壁と開口具要素との間の係合をもたらす。流体収容部の操作可能壁と開口具要素との間のそのような係合は、操作可能壁の下剥離部との開口具要素の尖った前端の接触をもたらし、それにより、操作可能壁の下剥離部が（例えば、開放し）、そして開口具要素が流体収容部の中に前進すると、操作可能ドア上剥離部が屈曲して開口具要素の上端上に静止する（それによって、操作可能ドアを開放位置に保持する）。いくつかの実施形態では、操作可能ドアのそのような開放は、開放された操作可能ドアを通る、本体の内側（例えば、本体中央部分及び本体遠位端）への、そして最終的には塗布器への、流体収容部の内容物（例えば、流体）の放出をもたらす。いくつかの実施形態では、流体収容部の全内容物は、それによって塗布器に移され、これは、それによってそのような内容物を対象に塗布するために使用され得る。いくつかの実施形態では、操作可能ドア上剥離部及び操作可能ドア下剥離部は、圧印過程によって形成される。
【００１３】
同様に、ある特定の実施形態では、本発明は、開放した本体近位端、本体中央部分、及び開放した本体遠位端を有する中空の本体を備える、流体を塗布するための装置を提供し、本体中央部分の内側は、開口具要素と、塗布器構成要素と、閉鎖した流体収容部近位端、及び流体収容部の操作可能ドアを有する流体収容部遠位端を有する、流体収容部と、をその中に有し、流体収容部の操作可能ドアは、下部剥離要素及び上部剥離要素をその中に有し、上部剥離要素は、下部剥離要素よりも厚い。
【００１４】
いくつかの実施形態では、本体遠位端は、塗布器構成要素に係合される。いくつかの実施形態では、流体収容部は、本体の内側の中に位置付けられ、それにより、流体収容部の操作可能ドアが、開口具要素の近傍に位置付けられ、それにより、流体収容部の遠位移動が、流体収容部の操作可能ドアの中への開口具要素の作動（例えば、開放）（例えば、その中への挿入）をもたらし、それによって、本体の内側へと、そして塗布器構成要素へと、流体収容部の内容物を放出する。
【００１５】
いくつかの実施形態では、流体収容部の操作可能ドアの中への開口具要素の作動（例えば、開放）（例えば、その中への挿入）は、下部剥離要素の脱離、及び上部剥離要素の屈曲を伴い、それにより、操作可能ドアが開口具要素を係合し、かつ開放したままとなる。
【００１６】
いくつかの実施形態では、流体収容部は、本体の内側の中に位置付けられ、それにより、流体収容部近位端が、本体近位端に対して面一または凹状となる。いくつかの実施形態では、流体収容部は、流体を収容する。いくつかの実施形態では、流体は、薬品流体または滅菌流体である。
【００１７】
いくつかの実施形態では、塗布器構成要素は、吸収性スポンジまたはパッドである。いくつかの実施形態では、塗布器構成要素は、円形、長円形、正方形、三角形、及び涙滴形からなる群から選択される形状を有する。
【００１８】
いくつかの実施形態では、そのような装置を用いて流体を対象に塗布する方法が提供される。例えば、いくつかの実施形態では、そのような方法は、流体収容部の中に流体を有する本発明の装置を対象の表面と接触させることと、流体収容部の操作可能ドアの中への開口具要素の作動（例えば、開放）（例えば、挿入）を引き起こし、それによって、本体の内側へと、そして塗布器を通して対象の表面上へと、流体収容部の中の流体を排出することと、を含む。
【００１９】
追加の実施形態が、本明細書に記載される。
［図面の簡単な説明］
［図１］本発明の装置の実施形態の側面図を示す。
【００２０】
［図２］本発明の装置の実施形態の上面図を示す。
【００２１】
［図３］本発明の装置の実施形態の側面の詳細な切断面を示す。
【００２２】
［図４］本発明の流体収容部の実施形態を示す。
【００２３】
［図５］流体収容部遠位端及び本体中央部分の詳細図を示す。
（定義）
本明細書において使用される場合、「近位」という用語は、使用者により近い構造体の部分を指し、一方で、「遠位」という用語は、使用者からより遠い部分を指す。
【００２４】
本明細書において使用される場合、「対象」という用語は、特定の処置の受領者となる、ヒト、非ヒト霊長類、げっ歯類などを含むがこれらに限定されない、任意の動物（例えば、哺乳動物）を指す。典型的には、「対象」及び「患者」という用語は、ヒト対象に関連して本明細書において互換的に使用される。
【００２５】
本明細書において使用される場合、「非ヒト動物」という用語は、例えば、げっ歯類、非ヒト霊長類、ヒツジ類、ウシ属動物、反芻動物、ウサギ類、ブタ類、ヤギ類、ウマ科動物、イヌ科動物、ネコ科動物、鳥類などの脊椎動物を含むがこれらに限定されない、すべての非ヒト動物を指す。いくつかの実施形態では、非ヒト動物は、哺乳動物である。いくつかの実施形態では、非ヒト動物は、家畜または農業用動物（例えば、雌ウシ、ヒツジ、ヤギなどの乳生産動物）である。
【００２６】
本明細書において使用される場合、「施術者」または「使用者」という用語は、本発明の実施形態の装置の任意の使用者を指す。「使用者」または「施術者」は、医療専門家（例えば、獣医師、医師、看護師、もしくは他の医療提供者）または非医療的使用者（例えば、ヒト（例えば、ヒト患者）もしくは非ヒト動物のヒト介護者）であり得る。
［発明を実施するための形態］
本発明は、流体塗布器装置及び本装置を使用する方法に関する。特に、本発明は、溶液（例えば、任意の種類の流体溶液）（例えば、液体薬品及び／または滅菌溶液）を保管し、対象の表面に分注するための装置に関する。
【００２７】
以下の記述は、本開示の原理に従う塗布器装置の種々の実施形態の説明、続いて本装置の用途の説明を含む。
【００２８】
図１〜５を参照すると、本発明の実施形態は、医療用塗布器装置を提供する。図１は、装置１の側面外観図を示す。示されるように、装置１は、本体２及び塗布器構成要素３を備える。図２は、本体２及び塗布器構成要素３が目に見える装置１の上面図を示す。
【００２９】
さらに図１及び２を参照すると、本体２は、本体近位端４（本体近位端縁５を有する）、本体中央部分６、及び本体遠位端７を有する。本体２は、特定のサイズの寸法に限定されない。いくつかの実施形態では、本体２のサイズは、流体収容部（例えば、流体容器）（以下により詳細に説明される）を収容することができるようなものである。本体２は、特定の形状または設計に限定されない。いくつかの実施形態では、本体２の形状は、使用者（例えば、ヒト使用者）によって快適に取り扱われ、かつ／または握られ得るようなものである。いくつかの実施形態では、本体の形状は、略円柱状である。いくつかの実施形態では、本体近位端４及び本体遠位端７は開放式であり、それによって、本体２が中空の通路その遠位端及び近位端であることを可能にする。
【００３０】
さらに図１及び２を参照すると、塗布器構成要素３は、本体遠位端７において本体２を係合する。いくつかの実施形態では、塗布器構成要素３は、本体遠位端７に関連する開口部を閉鎖するようなサイズにされる。塗布器３は、特定の様式での本体遠位端７との係合に限定されない。いくつかの実施形態では、塗布器３は、接着剤で本体遠位端７に係合する。いくつかの実施形態では、塗布器３は、本体遠位端７に係合し、それにより、塗布器３は、流体で飽和されるに従って、本体遠位端７に確実に係合されたままとなる。いくつかの実施形態では、塗布器３は、本体遠位端７に係合し、それにより、塗布器３は、流体で飽和され、かつ対象（例えば、対象の皮膚）に接触するに従って、本体遠位端７に確実に係合されたままとなる。
【００３１】
塗布器３は、溶液（例えば、薬品または滅菌溶液）を吸収し、動物の皮膚に塗布するのに好適な任意の材料であり得る。例としては、スポンジ、吸収性パッドなどが挙げられるが、これらに限定されない。塗布器３は、特定の形状を有するものに限定されない。いくつかの実施形態では、塗布器３は、円形または長円形状であるが、いかなる形状であってもよい。例えば、いくつかの実施形態では、異なる形状または幾何学形状の塗布器が、異なる用途（例えば、動物または対象の異なる身体部分もしくはサイズへの塗布）のために使用される。いくつかの実施形態では、塗布器３は、涙滴形状、正方形、長円形、三角形などである。塗布器３は、特定のサイズの寸法に限定されない。
【００３２】
使用中、いくつかの実施形態では、塗布器３は、対象の実質的にすべての体輪郭または形態に適合する多輪郭の吸収性部材である。例えば、船首形状の突出部は、眼、耳、手指、足指、鼠径部、または他の制限された形態への塗布を容易にする。さらに、起伏部分は、対象の腕または脚の径方向の表面に適合する。
【００３３】
図３は、本体近位端４（本体近位端縁５を有する）、本体中央部分６、及び本体遠位端７とともに、本体２及び塗布器構成要素３を有する装置１の側面の詳細な切断面を示す。示されるように、開口具要素８は、本体中央部分６において本体２の内側の中に位置付けられる。
【００３４】
装置１は、特定の型または種類の開口具要素８に限定されない。いくつかの実施形態では、開口具要素８は、流体収容部（以下により詳細に説明される）の中の操作可能ドアを作動（例えば、開放）するように構成される突起である。開口具要素８は、特定のサイズの寸法及び／または形状に限定されない。
【００３５】
図３及び５に示されるように、いくつかの実施形態では、開口具要素８は、形状が三角形であり、本体中央部分６において本体２の内側の中に強固に位置付けられる。図３及び５に示されるように、いくつかの実施形態では、開口具要素８は、操作可能ドア（例えば、流体収容部の操作可能ドア）の開放を容易にするために鋭角である尖った前端１５と、そのような操作可能ドアの開放位置における保持を容易にするような形状である上端１６（以下により詳細に説明される）と、後端１７と、を有する。図３及び５に示されるように、いくつかの実施形態では、上端１６は、尖った前端１５と比較してより鋭角であり、それによって、開放された流体収容部の操作可能ドアをそのような上端１６の上に位置付けることを容易にする（開放された操作可能ドアを開放位置に保持するため）。いくつかの実施形態では、開口具要素８の幅は、本体２の内側の中に中空の通路を保持するのに十分に狭い。いくつかの実施形態では、開口具要素８の幅は、塗布器３まで本体２の内側を通る流体の通過を容易にする（例えば、妨げない）のに十分に狭い。
【００３６】
図３を参照すると、流体収容部９は、本体近位端４から開口具要素８のすぐ前の本体中央部分６の近傍まで、本体２の内側の中に位置付けられた状態で示される。
【００３７】
図４は、装置から分離された流体収容部９を示す。概して、流体収容部９は、意図的でない流体放出の危険性を伴わずに流体を保管するように構成される。
【００３８】
図３及び４に示されるように、流体収容部９は、流体収容部近位端１０、及び流体収容部遠位端１１を有する。いくつかの実施形態では、流体収容部近位端１０、及び流体収容部遠位端１１は閉鎖され、それによって、流体収容部９が流体を確実に保管することを可能にする。示されるように、いくつかの実施形態では、流体収容部近位端１０は、本体２の中に位置付けられている間に流体収容部９の意図的でない動きを防止する目的のために、１つ以上の流体収容部近位端縁１２をその上に有する（図３参照）（以下により詳細に説明される）。
【００３９】
さらに図３及び４を参照すると、流体収容部９は、特定の形状に限定されない。いくつかの実施形態では、流体収容部９の形状は、本体近位端４から開口具要素８のすぐ前の本体中央部分６まで、装置２の本体の中に位置付けられることができるようなものである。いくつかの実施形態では、流体収容部９は、流体収容部近位端１０が本体近位端縁５を超えて（例えば、その外側に）伸びないように、本体２の中に位置付けられる（それによって、その流体の意図的でない放出をもたらす本体への流体収容部の意図的でない押下を防止する）。
【００４０】
いくつかの実施形態では、流体収容部９は、それが本装置及び／または流体収容部を損傷することなく取り外され得ないように、本体２の中に位置付けられる。いくつかの実施形態では、流体収容部９は、本体２から取り外し可能である。例えば、いくつかの実施形態では、流体収容部９は、本体２の中に挿入されるか、または本体２から取り外され得る。
【００４１】
図３を参照すると、本体近位端４の内側は、１つ以上の本体近位端凹部１３を有する。本体近位端凹部１３は、本体近位端４の中の特定の位置付けに限定されない。いくつかの実施形態では、１つ以上の本体近位端凹部１３は、本体２の中に位置付けられている間に流体収容部９の意図的でない動きを防止する目的のために、流体収容部近位端縁１２を受けるように構成される（図３に示される）。しかしながら、そのような保持は、流体収容部近位端４への遠位に向かう力の適用（例えば、それによって、流体収容部近位端縁１２を本体近位端凹部１３の先に「押す」こと）によって克服され得る。本体近位端凹部１３は、特定の形状に限定されない。いくつかの実施形態では、本体近位端凹部１３の形状は、流体収容部近位端縁１２との係合及び非係合を容易にするために湾曲している。
【００４２】
図３及び４を参照すると、流体収容部遠位端１１は、流体収容部遠位端の操作可能ドア１４で閉鎖される。本発明は、特定の型または種類の流体収容部遠位端の操作可能ドア１４に限定されない。
【００４３】
図３、４、及び５を参照すると、いくつかの実施形態では、流体収容部近位端１０は、操作可能ドア１４を有する。実施形態は、特定の操作可能ドア１４に限定されない。いくつかの実施形態では、操作可能ドア１４は、それが開放されるように構成されるように、ヒンジに基づく。いくつかの実施形態では、操作可能ドア１４は、それが開放されるように構成されるように、剥離ヒンジに基づく。図３、４、及び５に示されるように、いくつかの実施形態では、操作可能ドア１４は、操作可能ドア上剥離部１８、及び操作可能ドア下剥離部１９を有する。いくつかの実施形態では、操作可能ドア上剥離部１８、及び操作可能ドア下剥離部１９は、異なる度合の厚さを有する。いくつかの実施形態では、操作可能ドア下剥離部１９の厚さは、開口具要素の尖った前端１５（図３及び５参照）に係合すると、操作可能ドア下剥離部１９が脱離する（例えば、開放する）ようなものである。いくつかの実施形態では、操作可能ドア上剥離部１８の厚さは、操作可能ドア下剥離部１９が脱離するにつれて脱離することなく屈折するのに（例えば、それによって、ヒンジ（例えば、揺動ヒンジ）として動作するのに）十分に厚い。したがって、いくつかの実施形態では、操作可能ドア１４は、操作可能ドア下剥離部１９の脱離、及び開口具要素の尖った前端１５との係合に応答して操作可能ドア上剥離部１８の屈曲によって開放するように構成される。したがって、いくつかの実施形態では、流体収容部近位端１０の（例えば、使用者による）押下は、本体２の内側を通って流体収容部９を遠位に前進させ、流体収容部の操作可能壁１４と開口具要素の尖った前端１５との間の係合をもたらす。流体収容部の操作可能壁１４と開口具要素の尖った前端１５との間のそのような係合は、操作可能壁の下剥離部１９との開口具要素の尖った前端１５の接触をもたらし、それにより、操作可能壁の下剥離部１９が脱離し、開口具要素８が流体収容部９の中に前進すると（例えば、それによって、操作可能ドアを開放すると）、操作可能ドア上剥離部１８が屈曲し、開口具要素の上端１６の上に静止する（それによって、操作可能ドア１４を開放位置に保持する）。いくつかの実施形態では、操作可能ドア１４のそのような開放は、開放された操作可能ドア１４を通る、本体２の内側（例えば、本体中央部分６及び本体遠位端７）への、そして最終的には塗布器３への、流体収容部の内容物（例えば、流体）の放出をもたらす。いくつかの実施形態では、流体収容部９の全内容物は、それによって塗布器３に移され、これは、それによってそのような内容物を対象に塗布するために使用され得る。いくつかの実施形態では、操作可能ドア上剥離部１８、及び操作可能ドア下剥離部１９は、圧印過程によって形成される。
【００４４】
図３に示されるように、流体収容部近位端１０は、本体近位端縁５に対して面一または凹状である。これは、（例えば、輸送、取り扱い、及び／または保管の間の）使用前の流体収容部２の偶発的な作動（例えば、流体収容部の操作可能ドア１４が開放され、それによってその内容物を放出するような、流体収容部近位端１０の意図的でない押下）を防止する利点を提供する。いくつかの実施形態では、本体近位端４は、内容物を保護し、かつ流体収容部２の封止を維持するために、本体近位端縁５の上にキャップまたは封止材を備える。いくつかの実施形態では、流体収容部近位端１０は、内容物を保護し、かつ流体収容部２の封止を維持するために、キャップまたは封止材を備える。
【００４５】
図３に示されるように、いくつかの実施形態では、本体中央部分６の形状は、本体中央部分６を超える流体収容部９の動きを防止するために、（本体近位部４と比較して）狭くなっている（例えば、本体中央部分６の幅または半径が、流体収容部遠位端１１の半径より小さいか、またはそれ未満である）。
【００４６】
いくつかの実施形態では、流体収容部は、薬品、洗浄溶液などで充填される。そのような薬品は、液体またはゲル形態の消毒溶液、滅菌溶液などを含む。本発明は、本装置による分注のための特定の流体に限定されない。いくつかの実施形態では、流体は、医療用流体（例えば、薬品を含む）である。いくつかの実施形態では、流体は、滅菌流体（例えば、参照により全体が本明細書に組み込まれる同時係属出願第１３／６２１，６４５号に記載のもの、またはＡｐｌｉｃａｒｅ，Ｂｒａｎｆｏｒｄ  Ｃｏｎｎによって製造されるＥｘｃｅｌ−ＡＰなどの市販の溶液）である。
【００４７】
医療用皮膚用装置の構成要素は、特定の用途及び／または使用者の好みに応じて、例えば、ポリマーまたは金属、例えばステンレス鋼などの、医療用途に好適な材料から製作され得る。半硬性及び硬性ポリマー、ならびに成形された医療用グレードのポリプロピレンなどの弾力性材料が、製作に企図される。しかしながら、当業者であれば、本開示に従う、組み立て及び製造に好適な他の材料ならびに製作方法も適切であることを理解するであろう。
【００４８】
いくつかの実施形態では、流体は製造中に加えられ、本装置は流体収容部に流体を含有する状態で使用者に輸送される。他の実施形態では、本装置は空の状態で使用者に提供され、使用者が使用前に流体を加える。いくつかの実施形態では、本装置は単回使用のために意図され、使用後に処分される。他の実施形態では、本装置は再充填され、複数回使用され得る。
【００４９】
本明細書に記載の装置は、対象の表面に塗布される流体の医療用途（例えば、ヒトの医療用設定または獣医用設定）または他の用途を含む任意の数の用途において使用される。いくつかの実施形態では、滅菌流体は、例えば、対象の疾患及び身体の病気の外科的処置、診断的処置、ならびに関連する処置などの医療手技の前に、対象の表面（例えば、皮膚または外部膜）に塗布される。開示される皮膚塗布器装置に関する原理が、例えば、薬物及び他の流体などの種々の薬剤の身体への塗布を含むことが、さらに想定される。
【００５０】
本発明は、特定の対象に限定されない。いくつかの実施形態では、対象はヒトである。いくつかの実施形態では、対象は非ヒト動物（例えば、非ヒト哺乳動物）である。いくつかの実施形態では、対象は、獣医用設定に見られる任意の動物（例えば、ネコ、イヌ、トリ、カメ、ウサギ、ヘビなど）である。
【００５１】
上記のように、本開示の塗布器装置は、既存の塗布器には見出されない主要な特徴及び利点を含む。例えば、本体近位端縁に対して凹状または面一である流体収容部近位端縁の位置付けは、本装置の使用前（例えば、本装置の製造、輸送、取り扱い、及び／または保管の間）の、流体収容部の偶発的な作動を防止する。さらに、流体収容部の中の流体の放出のための本明細書に記載される開口具要素及び操作可能ドアの使用は、以前の代替の設計と比較してより確実な流体放出を確かにする。
【００５２】
代替の実施形態では、流体収容部は、分割可能なアンプルである。そのような実施形態では、流体収容部の押下が、遠位の様式の流体収容部の動き、そして、開口具要素と接触するとアンプルの分割を引き起こし、流体収容部の中の流体の放出をもたらす。流体のそのような放出は、本体を通る、そして最終的には塗布器への、その進行をもたらす。
【００５３】
上記の明細書中に言及されるすべての刊行物及び特許は、参照により本明細書に組み込まれる。記載される本発明の方法ならびにシステムの種々の改変形態及び変形形態は、本発明の範囲及び趣旨から逸脱することなく当業者に明らかになるであろう。本発明は特定の好ましい実施形態に関連して記載されているが、特許請求される本発明はそのような特定の実施形態に過度に限定されるべきではないことを理解されたい。実際に、医療化学の当業者に明らかである本発明を実行するための記載される様態の種々の改変形態は、以下の特許請求の範囲内であるよう意図される。
【図面の簡単な説明】
【００５４】
【図１】本発明の装置の実施形態の側面図を示す。
【図２】本発明の装置の実施形態の上面図を示す。
【図３】本発明の装置の実施形態の側面の詳細な切断面を示す。
【図４】本発明の流体収容部の実施形態を示す。
【図５】流体収容部遠位端及び本体中央部分の詳細図を示す。
【図１】
0006396993.tif 000002
【図２】
0006396993.tif 000003
【図３】
0006396993.tif 000004
【図４】
0006396993.tif 000005
【図５】
0006396993.tif 000006